(57)【要約】【課題】簡単な構成で部品点数、加工工数が少なく生産性、低コスト性に優れ、既存の念珠に容易に取付けができ汎用性に優れ、念珠と房を必要に応じて着脱できるので、宗派や好みで房の色や形を自在に取換えて組合せることができ、品揃えの煩雑さを解消でき機能性、汎用性に優れると共に、房の褪色時や房や念珠の破損時には、容易に念珠又は房を交換できメンテナンス性、省資源性に優れた念珠用房連結具の提供。【解決手段】（ａ）念珠の親玉に穿設された挿通孔に挿通固定される永久磁石で略円柱状に形成された埋設部と、親玉の挿通孔から突出し埋設部の端部外周に環装された金属製の環状保護部と、を有する親玉側連結部材と、（ｂ）ボサ部と、ボサ部の上端に形成され環状保護部に嵌合される嵌合凹部と、嵌合凹部の底部に形成され埋設部に着磁される着磁面と、ボサ部の下部に形成又は配設された房取付け部と、を有する房側連結部材と、を備えている。【選択図】図１
2005329135.tif 000002
【特許請求の範囲】
【請求項１】
（ａ）念珠の親玉に穿設された挿通孔に挿通固定される永久磁石で略円柱状に形成された埋設部と、前記親玉の前記挿通孔から突出し前記埋設部の端部外周に環装された金属製の環状保護部と、を有する親玉側連結部材と、
（ｂ）ボサ部と、前記ボサ部の上端に形成され前記親玉側連結部材の前記環状保護部に嵌合される嵌合凹部と、前記嵌合凹部の底部に形成され前記親玉側連結部材の前記埋設部に着磁される着磁面と、前記ボサ部の下部に形成又は配設された房取付け部と、を有する房側連結部材と、
を備えていることを特徴とする念珠用房連結具。
【請求項２】
前記房側連結部材の前記着磁面が、磁性体で形成された前記ボサ部と一体に形成されていることを特徴とする請求項１に記載の念珠用房連結具。
【請求項３】
前記房側連結部材の前記着磁面が、前記嵌合凹部の底部に表面を露出して前記ボサ部に配設又は埋設された連結用磁石で形成されていることを特徴とする請求項１に記載の念珠用房連結具。
【請求項４】
前記親玉側連結部材の前記埋設部及び前記房側連結部材の前記連結用磁石の磁力の合計が０．４８テスラ〜０．６３テスラであることを特徴とする請求項１乃至３の内いずれか１項に記載の念珠用房連結具。
【発明の詳細な説明】
【技術分野】
【０００１】
本発明は、念珠の親玉に取付けて房の着脱を行なうための念珠用房連結具に関する。
【背景技術】
【０００２】
従来、葬儀や法要において使用される念珠のほとんどのものは親玉に房が取付けられている。房を取付けるために親玉にＴ字状紐挿通孔を穿設し、紐の各端部側をこのＴ字状紐挿通孔にＬ字状に挿通しているため、紐が無理に屈曲された状態になっており、またこの状態で親玉と擦れたり或いは使用時に捩じられたりするために、親玉の部分で切れ易いという問題点があった。
この問題を解決するものとして、（特許文献１）には、「紐挿通孔を形成した多数の主玉と、紐挿通孔に挿通して該多数の主玉を一連に連結する紐と、該紐の両端側を連結する連結体と、該連結体に支持される房部とからなり、連結体は互いに吸着可能なマグネットにより形成され、紐の各端部側に取着された一対の連結片によって球体状に構成し、房部を構成する房本体に取着した係着体は一対の連結片によって着脱自在に挟持するように構成してなる念珠」が開示されている。
【特許文献１】登録実用新案第３０２９３８４号公報
【発明の開示】
【発明が解決しようとする課題】
【０００３】
しかしながら上記従来の技術では、以下のような課題を有していた。
（１）（特許文献１）の念珠は、房本体に取着した係着体を一対の連結片によって着脱自在に挟持する構成となっているので、係着体や連結片だけでなく、連結片の外面に嵌合する半球状の止めカバーを親玉の代りに用意する必要があり、汎用性に欠けると共に、連結片を半球体に形成したり、連結片に係着体を嵌合させるための嵌合凹部を形成したりしなければならず、部品点数、加工工数が増加し生産性、低コスト性に欠けるという課題を有していた。
更に、係着体を連結片で挟持するので外力に対して弱く、連結片同士が外れ易く使用性に欠けると共に、連結片の衝合面が大きく露出し、嵌合凹部が形成されているので、着脱を繰返すことにより連結片の欠けや割れが発生し易く、信頼性、耐久性に欠けるという課題を有していた。
（２）従来からネックレス等のアクセサリーを連結するために磁石を使用した連結具があるが、使用時にのみ連結することができればよく、頻繁に着脱を繰返す必要があり、磁力が弱いので、念珠の房のように補修や交換等の特定の時にのみ着脱する用途には不向きであるという課題を有していた。
特に、磁力が弱く連結具が外れやすい場合、念珠と房が分離してしまうので、房が紛失し易く信頼性に欠けるという課題を有していた。
また、磁石を使用した既存の連結具を利用する際に、既存の念珠の親玉に穿設された挿通孔の孔径と連結具の直径が合わない場合、親玉の挿通孔を加工する必要があり、工数がかかると共に、加工時や使用中に親玉の割れが発生し易く、信頼性、耐久性に欠けるという課題を有していた。
【０００４】
本発明は上記従来の課題を解決するもので、簡単な構成で部品点数、加工工数が少なく生産性、低コスト性に優れ、既存の念珠に容易に取付けて使用することができ汎用性に優れ、念珠と房を必要に応じて容易に着脱することができるので、宗派や好みによって房の色や形、種類を自在に取換えて組合せることができ、品揃えの煩雑さを解消でき機能性、汎用性に優れると共に、房の色が褪色したり房や念珠が破損したりした際には、容易に念珠又は房を交換することができる取換え自在性、メンテナンス性、省資源性に優れた念珠用房連結具を提供することを目的とする。
【課題を解決するための手段】
【０００５】
上記課題を解決するために本発明の念珠用房連結具は、以下の構成を有している。
本発明の請求項１に記載の念珠用房連結具は、（ａ）念珠の親玉に穿設された挿通孔に挿通固定される永久磁石で略円柱状に形成された埋設部と、前記親玉の前記挿通孔から突出し前記埋設部の端部外周に環装された金属製の環状保護部と、を有する親玉側連結部材と、（ｂ）ボサ部と、前記ボサ部の上端に形成され前記親玉側連結部材の前記環状保護部に嵌合される嵌合凹部と、前記嵌合凹部の底部に形成され前記親玉側連結部材の前記埋設部に着磁される着磁面と、前記ボサ部の下部に形成又は配設された房取付け部と、を有する房側連結部材と、を備えている構成を有している。
この構成により、以下のような作用を有する。
（１）親玉側連結部材が念珠の親玉に穿設された挿通孔に挿通固定される略円柱状の埋設部を有するので、既存の一般的なサイズの念珠の親玉に対し、加工等を施すことなく容易に埋設部を挿通することができ、親玉に親玉側連結部材を固定して使用することができる。
（２）親玉側連結部材の埋設部が永久磁石で形成されているので、房側連結部材の着磁面と容易に着脱することができ、念珠用房連結具を介して念珠と房との着脱を簡便に行うことができ、念珠及び房の交換や修理を速やかに行うことができると共に、色や形によって組合される念珠と房を全ての組合せについて用意する必要がなく、宗派や好みによって念珠と房を自在に取換えて組合せることができ、品揃えの煩雑さを解消できる。
（３）親玉側連結部材が埋設部の端部外周に環装された金属製の環状保護部を有することにより、環状保護部によって親玉の挿通孔から突出した埋設部の端部外周を保護することができるので、埋設部が衝撃強度に欠ける磁鉄鋼製であっても、親玉側連結部材と房側連結部材の着脱の繰返しによる埋設部の端部外周での欠けやひび割れ等が発生し難く、耐久性に優れる。
（４）親玉側連結部材の埋設部の端部外周に環状保護部が環装されていることにより、環状保護部の下端面を親玉の挿通孔の外周表面に当接させ係止することができるので、埋設部が親玉の挿通孔に埋没することがなく、生産が容易で、かつ親玉側連結部材を親玉の挿通孔に確実に保持することができ、房側連結部材との着脱を行うことができる。
（５）親玉側連結部材の埋設部の端部外周に環状保護部が環装されていることにより、房側連結部材の着磁面との着磁面積を大きくすることができ、親玉側連結部材と房側連結部材を強固に着磁することができる。
（６）房側連結部材の上端に形成された嵌合凹部が親玉側連結部材の環状保護部に嵌合されるので、横方向や斜め方向からの外力を受けても、親玉側連結部材と房側連結部材が外れ難く、強固な固定を維持することができる。
（７）房側連結部材のボサ部の下部に房取付け部が形成又は配設されているので、容易に房の着脱を行うことができ、房の交換や補修を行うことができる。
【０００６】
ここで、親玉側連結部材の埋設部として使用される永久磁石としては、アルニコ磁石、フェライト磁石、希土類磁石、マグネット鋼，ＭＫ鋼，Ｃｏ−Ｐｔ系，コバルトフェライト，ＯＰ磁石などが好適に用いられる。環状保護部としては、鉄やニッケル或いはこれらの合金等で形成され着磁性を有する金属製のものが用いられる。
環状保護部の環状部の厚さ（肉厚）は１．２ｍｍ〜２ｍｍが好ましい。環状保護部の環状部の厚さが１．２ｍｍより薄くなるにつれ、強度が不足し、環状保護部の下端面を親玉の挿通孔の外周表面に当接させ係止することが困難になる傾向があり、２ｍｍより厚くなるにつれ、環状保護部の外周側が親玉の外周表面から浮いて安定性が低下し易くなる傾向があり、いずれも好ましくない。
【０００７】
環状保護部の高さは１．２ｍｍ〜２ｍｍが好ましい。環状保護部の高さが１．２ｍｍより低くなるにつれ、環状保護部に嵌合される嵌合凹部の高さが不足し、外力等により親玉側連結部材と房側連結部材が外れ易くなる傾向があり、２ｍｍより高くなるにつれ、環状保護部の外径及び孔径に対する高さの比が大きくなり、加工が困難になると共に、環状保護部に嵌合される嵌合凹部の高さが増加し、嵌合凹部の縁などが欠け易くなる傾向があり、いずれも好ましくない。
【０００８】
親玉側連結部材の埋設部の直径は、埋設部が埋設される念珠の親玉に穿設された直径３ｍｍ〜３．５ｍｍの挿通孔よりも若干小さ目に形成することが好ましく、より具体的には２．５ｍｍ〜３ｍｍが望ましい。これにより、一般的なサイズの念珠に対応することができる。埋設部の直径が２．５ｍｍより細くなるにつれ、埋設部と挿通孔の隙間が増加し、埋設部を確実に保持し難くなる傾向があり、３ｍｍより太くなるにつれ、埋設部と挿通孔の隙間が不足し、埋設部を挿通孔に挿通し難くなり、親玉が割れ易くなる傾向があり、いずれも好ましくない。
房側連結部材の材質は金属、木、石など、連結相手となる念珠の材質に応じて選択することができ、また、念珠や房の色に合わせて好みの色に着色されたものを使用することができ、装飾性を向上させることができると共に、強度や加工性の面からも最適な材質を選択することができ、品質の向上を図ることができる。
【０００９】
嵌合凹部の内径は環状保護部の外形よりもやや大き目に形成され、嵌合凹部の深さは環状保護部の高さと同じか、やや短目に形成される。これにより、嵌合凹部と環状保護部を容易に嵌合させることができると共に、確実に埋設部の端面と着磁面を接触させることができ、親玉側連結部材と房側連結部材を着磁し、着脱自在に固定することができる。
嵌合凹部の底部には埋設部に着磁される着磁面が形成される。房側連結部材が金属製で着磁性を有する場合、ボサ部の上端に嵌合凹部を形成するだけで、嵌合凹部の底部を着磁面とすることができる。房側連結部材が着磁性を有さない場合、嵌合凹部の底部に着磁性を有する金属板を配設又は埋設したり、永久磁石を埋設したりして着磁面を形成することができる。
埋設部、環状保護部、金属製の房側連結部材にはニッケル、金、銀等をメッキすることができる。特に、表面が露出している部分にメッキを施した場合、外観を向上させることができ、装飾性に優れる。
房取付け部は環状に形成することにより、容易に房の端部を結着する等して取付けることができる。房取付け部はボサ部に対し、回動自在に配設してもよい。
【００１０】
請求項２に記載の発明は、請求項１に記載の念珠用房連結具であって、前記房側連結部材の前記着磁面が、磁性体で形成された前記ボサ部と一体に形成されている構成を有している。
この構成により、請求項１の作用に加え、以下のような作用を有する。
（１）房側連結部材の着磁面が、磁性体で形成されたボサ部と一体に形成されているので、部品点数を減らすことができ、加工工数を低減でき、生産性を向上させることができる。
ここで、ボサ部が鉄やニッケル或いはそれらの合金等の磁性体で形成されていることにより、ボサ部の上端に嵌合凹部を形成するだけで、嵌合凹部の底部を着磁面とすることができる。
【００１１】
請求項３に記載の発明は、請求項１に記載の念珠用房連結具であって、前記房側連結部材の前記着磁面が、前記嵌合凹部の底部に表面を露出して前記ボサ部に配設又は埋設された連結用磁石で形成されている構成を有している。
この構成により、請求項１の作用に加え、以下のような作用を有する。
（１）房側連結部材の着磁面が、嵌合凹部の底部に表面を露出してボサ部に配設又は埋設された連結用磁石で形成されていることにより、親玉側連結部材と房側連結部材をより強固に着磁することができ、信頼性を向上させることができる。
（２）房側連結部材の着磁面が、嵌合凹部の底部に表面を露出してボサ部に配設又は埋設された連結用磁石で形成されているので、房側連結部材を着磁性を有さない木製や石製などの材質で形成することができ、房側連結部材の材質の選択の幅を広げることができ、念珠や房の材質や色などに応じて、材質や色を選択することができ、装飾性を向上させ、品質を向上させることができる。
【００１２】
ここで、連結用磁石は埋設部と同様のものが好適に使用される。連結用磁石は親玉側連結部材の埋設部の直径と同等以上の直径を有する円板状や円柱状に形成することが好ましい。これにより、埋設部の端面の全面積を確実に連結用磁石の着磁面に着磁させることができ、埋設部と連結用磁石を強固に固定することができる。
【００１３】
請求項４に記載の発明は、請求項１乃至３の内いずれか１項に記載の念珠用房連結具であって、前記親玉側連結部材の前記埋設部及び前記房側連結部材の前記連結用磁石の磁力の合計が０．４８テスラ〜０．６３テスラである構成を有している。
この構成により、請求項１乃至３の内いずれか１項に記載の作用に加え、以下のような作用を有する。
（１）親玉側連結部材の埋設部及び房側連結部材の連結用磁石の磁力の合計が０．４８テスラ〜０．６３テスラであることにより、通常は親玉側連結部材と房側連結部材を強固に固定でき、念珠や房の交換や補修が必要な時は容易に取外すことができ、取換え自在性、メンテナンス性を向上させることができる。
【００１４】
ここで、親玉側連結部材の埋設部及び房側連結部材の連結用磁石の磁力の合計が０．４８テスラより小さくなるにつれ、磁力が不足し、親玉側連結部材と房側連結部材が外力などによって外れ易くなり、０．６３テスラより大きくなるにつれ、取換え時に取外しが困難になると共に、着磁によって埋設部及び連結用磁石或いはそれらのメッキ層の割れや欠け等が発生し易くなり、取換え自在性、メンテナンス性、耐久性が低下し易くなる傾向があり、いずれも好ましくない。
【発明の効果】
【００１５】
以上のように、本発明の念珠用房連結具によれば、以下のような有利な効果が得られる。
請求項１に記載の発明によれば、以下のような効果を有する。
（１）親玉側連結部材が念珠の親玉に穿設された挿通孔に挿通固定される略円柱状の埋設部を有するので、既存の念珠の親玉に対し、加工等を施すことなく容易に埋設部を挿通することができ、親玉に親玉側連結部材を固定して使用することができる汎用性に優れた念珠用房連結具を提供することができる。
（２）親玉側連結部材の埋設部が磁石で形成されているので、房側連結部材の着磁面と容易に着脱することができ、念珠と房との着脱を簡便に行うことができ、念珠及び房の交換や修理を速やかに行うことができメンテナンス性、省資源性に優れると共に、色や形によって組合される念珠と房を全ての組合せについて用意する必要がなく、宗派や好みによって念珠と房の色や形などを自在に組合せることができ、品揃えの煩雑さを解消できる機能性、汎用性に優れた念珠用房連結具を提供することができる。
（３）親玉側連結部材が埋設部の端部外周に環装された金属製の環状保護部を有することにより、環状保護部によって親玉の挿通孔から突出した埋設部の端部外周を保護することができるので、埋設部が衝撃強度に欠ける磁鉄鋼製であっても、親玉側連結部材と房側連結部材の着脱の繰返しによる埋設部の端部外周での欠けやひび割れ等が発生し難い信頼性、耐久性に優れた念珠用房連結具を提供することができる。
（４）親玉側連結部材の埋設部の端部外周に環状保護部が環装されていることにより、環状保護部の下端面を親玉の挿通孔の外周表面に当接させ係止することができるので、埋設部が親玉の挿通孔に埋没することがなく生産性に優れ、かつ親玉側連結部材を親玉の挿通孔に確実に保持することができ、房側連結部材との着脱を行うことができる組立て作業性、信頼性に優れた念珠用房連結具を提供することができる。
（５）親玉側連結部材の埋設部の端部外周に環状保護部が環装されていることにより、房側連結部材の着磁面との着磁面積を大きくすることができ、親玉側連結部材と房側連結部材を強固に着磁することができる信頼性、耐久性に優れた念珠用房連結具を提供することができる。
（６）房側連結部材の上端に形成された嵌合凹部が親玉側連結部材の環状保護部に嵌合されるので、横方向や斜め方向からの外力を受けても、親玉側連結部材と房側連結部材が外れ難く、強固な固定を維持することができる信頼性、耐久性に優れた念珠用房連結具を提供することができる。
【００１６】
請求項２に記載の発明によれば、請求項１の効果に加え、以下のような効果を有する。
（１）ボサ部を磁性体で形成することにより、房側連結部材の着磁面をボサ部と一体に形成することができ、部品点数、加工工数を低減でき、生産性、低コスト性に優れた念珠用房連結具を提供することができる。
【００１７】
請求項３に記載の発明によれば、請求項１の効果に加え、以下のような効果を有する。
（１）房側連結部材の着磁面が、嵌合凹部の底部に表面を露出してボサ部に配設又は埋設された連結用磁石により形成されているので、親玉側連結部材と房側連結部材をより強固に着磁することができる信頼性に優れた念珠用房連結具を提供することができる。
（２）房側連結部材を着磁性を有さない木製や石製などの材質で形成することができ、房側連結部材の材質の選択の幅を広げることができ、念珠や房の材質や色などに応じて、材質や色を選択することができる高品質で装飾性、設計自在性に優れた念珠用房連結具を提供することができる。
【００１８】
請求項４に記載の発明によれば、請求項１乃至３の内いずれか１項の効果に加え、以下のような効果を有する。
（１）親玉側連結部材の埋設部及び房側連結部材の連結用磁石の磁力の合計が０．４８テスラ〜０．６３テスラであることにより、通常は親玉側連結部材と房側連結部材を強固に固定でき、念珠や房の交換や補修が必要な時は容易に取外すことができ、取換え自在性、メンテナンス性に優れた念珠用房連結具を提供することができる。
【発明を実施するための最良の形態】
【００１９】
（実施の形態１）
以下、本発明の実施の形態１における念珠用房連結具について、以下図面を参照しながら説明する。
図１は本発明の実施の形態１における念珠用房連結具を示す全体斜視図であり、図２は本発明の実施の形態１における念珠用房連結具の着磁状態を示す正面図であり、図３（ａ）は図１における親玉側連結部材のＡ方向投影図であり、図３（ｂ）は図１における房側連結部材のＢ方向投影図であり、図４は本発明の実施の形態１における念珠用房連結具を示す断面側面図である。
図１乃至図４中、１は本発明の実施の形態１における念珠用房連結具、２は念珠用房連結具の親玉側連結部材、３はアルニコ磁石、フェライト磁石、希土類磁石などの永久磁石で略円柱状に形成された親玉側連結部材２の埋設部、３ａは埋設部３の突出側の端面、４は着磁性を有する金属で環状に形成され埋設部３の端部外周に端面３ａと面一に環装され着磁固定された環状保護部、４ａは環状保護部４の下端面、５は金属製、木製、石製等の材質で形成された念珠用房連結具１の房側連結部材、６は房側連結部材５のボサ部、７は内径が環状保護部４の外径よりやや大き目で深さが環状保護部４の高さと同一にボサ部６の上端に形成され親玉側連結部材２の環状保護部４に嵌合される房側連結部材５の嵌合凹部、８は埋設部３と同様の永久磁石により略円柱状に形成され嵌合凹部７の底部７ａに表面を露出してボサ部６に埋設された房側連結部材５の連結用磁石、８ａは連結用磁石８により嵌合凹部７の底部７ａと面一に形成され親玉側連結部材２の埋設部３の端面３ａに着磁される房側連結部材５の着磁面、９はボサ部６の下部に環状に形成された房側連結部材５の房取付け部である。
【００２０】
親玉側連結部材２の埋設部３の直径は、念珠の親玉に穿設された直径３ｍｍ〜３．５ｍｍの挿通孔よりも若干小さ目の２．５ｍｍ〜３ｍｍに形成される。埋設部３の直径が２．５ｍｍより細くなるにつれ、埋設部３と念珠の親玉に穿設された挿通孔の隙間が増加し、埋設部３を確実に保持し難くなる傾向があり、３ｍｍより太くなるにつれ、埋設部３と挿通孔の隙間が不足し、埋設部３を挿通孔に挿通し難くなり、親玉が割れ易くなる傾向があることがわかったためである。
環状保護部４の環状部の厚さ（肉厚）は１．２ｍｍ〜２ｍｍに形成した。環状保護部４の環状部の厚さが１．２ｍｍより薄くなるにつれ、強度が不足し、環状保護部４の下端面４ａを親玉の挿通孔の外周表面に当接させ係止することが困難になる傾向があり、２ｍｍより厚くなるにつれ、環状保護部４の下端面４ａの外周側が親玉の外周表面から浮いて安定性が低下し易くなる傾向があることがわかったためである。
環状保護部４の高さは１．２ｍｍ〜２ｍｍに形成した。環状保護部４の高さが１．２ｍｍより低くなるにつれ、環状保護部４に嵌合される嵌合凹部７の高さが不足し、外力等により親玉側連結部材２と房側連結部材５が外れ易くなる傾向があり、２ｍｍより高くなるにつれ、環状保護部４の外径及び孔径に対する高さの比が大きくなり、加工が困難になると共に、環状保護部４に嵌合される嵌合凹部７の高さが増加し、嵌合凹部７の縁などが欠け易くなる傾向があることがわかったためである。
【００２１】
連結用磁石８は、親玉側連結部材２の埋設部３の直径と同等以上の直径を有する円柱状に形成した。これにより、埋設部３の端面３ａの全面積を確実に連結用磁石８の着磁面８ａに着磁させることができ、埋設部３と連結用磁石８を強固に固定することができる。
親玉側連結部材２の埋設部３の磁力を０．３３テスラ、房側連結部材５の連結用磁石８の磁力を０．３テスラに形成した。
埋設部３及び連結用磁石８の磁力の合計が０．４８テスラより小さくなるにつれ、磁力が不足し、親玉側連結部材２と房側連結部材５が外力などによって外れ易くなり、０．６３テスラより大きくなるにつれ、取換え時に取外しが困難になると共に、着磁によって埋設部３及び連結用磁石８或いはそれらのメッキ層の割れや欠け等が発生し易くなり、取換え自在性、メンテナンス性、耐久性が低下し易くなる傾向があることがわかったためである。
本実施例では、埋設部３の磁力と連結用磁石８の磁力をほぼ同程度にしたが、埋設部３と連結用磁石８の磁力の合計が０．４８テスラ〜０．６３テスラとなる範囲でそれぞれの磁力を選択することができる。また、房側連結部材５を磁性体で形成した場合は、連結用磁石８を設ける必要はなく、埋設部３の磁力を０．４８テスラ〜０．６３テスラとすることにより、親玉側連結部材２と房側連結部材５を適度な強さで着磁して固定できる。
尚、埋設部３、環状保護部４、金属製の房側連結部材５、連結用磁石８にはニッケル、金、銀等によるメッキ処理を施し外観を向上させている。
【００２２】
以上のように構成された実施の形態１における念珠用房連結具の使用方法について説明する。
図５は本発明の実施の形態１における念珠用房連結具を用いた念珠を示す全体正面図であり、図６（ａ）は念珠用房連結具の取外し状態を示す要部断面正面図であり、（ｂ）は念珠用房連結具の着磁状態を示す要部断面正面図である。
図５及び図６中、１０は念珠用房連結具１により親玉１１と房１４が連結された念珠、１２は念珠１０の親玉１１に水平方向に穿設され親玉１１と主玉１１ａを繋ぐための紐１２ｂが挿通された念珠連結用孔、１２ａは主玉１１ａの紐挿通孔、１２ｃは紐１２ｂの緊結部、１３は親玉１１の念珠連結用孔１２に直交して穿設された挿通孔、１４は房取付け部９に連結された房である。
【００２３】
図５において、親玉１１の挿通孔１３は直径３ｍｍ〜３．５ｍｍに形成されている。これは、挿通孔１３の加工をし易くし、親玉１１を割れ難くするためである。念珠用房連結具１の親玉側連結部材２の埋設部３は、念珠１０の親玉１１に穿設された挿通孔１３に挿通され接着剤などにより固定される。
親玉側連結部材２の埋設部３を親玉１１の挿通孔１３に挿通する際に、環状保護部４の下端面４ａが挿通孔１３の外周に当接し係止されるので、埋設部３が親玉１１の挿通孔１３に埋没することがなく、親玉側連結部材２を親玉１１の挿通孔１３に確実に保持することができる。
嵌合凹部７の内径を環状保護部４の外形よりもやや大き目に形成し、嵌合凹部７の深さを環状保護部４の高さと同じか、やや短め（低め）に形成することにより、嵌合凹部７と環状保護部４を容易に嵌合させることができると共に、確実に埋設部３の端面３ａと着磁面８ａを着磁させることができ、親玉側連結部材２と房側連結部材５を着脱自在に固定することができる。
【００２４】
実施の形態１の念珠用房連結具は以上のように構成されているので以下の作用を有する。
（１）親玉側連結部材２が念珠１０の親玉１１に穿設された挿通孔１３に挿通固定される略円柱状の埋設部３を有するので、既存の一般的なサイズの念珠１０の親玉１１に対し、加工等を施すことなく容易に埋設部３を挿通することができ、親玉１１に親玉側連結部材２を固定して使用することができる。
（２）親玉側連結部材２の埋設部３が永久磁石で形成されているので、房側連結部材５の着磁面８ａと容易に着脱することができ、念珠用房連結具１を介して念珠１０と房１４との着脱を簡便に行うことができ、念珠１０及び房１４の交換や修理を速やかに行うことができると共に、色や形によって組合される念珠１０と房１４を全ての組合せについて用意する必要がなく、宗派や好みによって念珠１０と房１４を自在に取換えて組合せることができ、品揃えの煩雑さを解消できる。
（３）親玉側連結部材２が埋設部３の端部外周に環装された金属製の環状保護部４を有することにより、環状保護部４によって親玉１１の挿通孔１３から突出した埋設部３の端部外周を保護することができるので、埋設部３が衝撃強度に欠ける磁鉄鋼製であっても、親玉側連結部材２と房側連結部材５の着脱の繰返しによる埋設部３の端部外周での欠けやひび割れ等が発生し難く、耐久性に優れる。
（４）親玉側連結部材２の埋設部３の端部外周に環状保護部４が環装されていることにより、環状保護部４の下端面４ａを親玉１１の挿通孔１３の外周表面に当接させ係止することができるので、埋設部３が親玉１１の挿通孔１３に埋没することがなく、生産が容易で、かつ親玉側連結部材２を親玉１１の挿通孔１３に確実に保持することができ、房側連結部材５との着脱を行うことができる。
（５）親玉側連結部材２の埋設部３の端部外周に環状保護部４が環装されていることにより、房側連結部材５の着磁面８ａとの着磁面積を大きくすることができ、親玉側連結部材２と房側連結部材５を強固に着磁することができる。
（６）房側連結部材５の上端に形成された嵌合凹部７が親玉側連結部材２の環状保護部４に嵌合されるので、横方向や斜め方向からの外力を受けても、親玉側連結部材２と房側連結部材５が外れ難く、強固な固定を維持することができる。
（７）房側連結部材５のボサ部６の下部に房取付け部９が形成又は配設されているので、容易に房１４の着脱を行うことができ、房１４の交換や補修を行うことができる。
性を向上させることができる。
（８）房側連結部材５の着磁面８ａが、嵌合凹部７の底部７ａに表面を露出してボサ部６に埋設された連結用磁石８で形成されていることにより、親玉側連結部材２と房側連結部材５をより強固に着磁することができ、信頼性を向上させることができる。
（９）房側連結部材５の着磁面８ａが、嵌合凹部７の底部７ａに表面を露出してボサ部６に埋設された連結用磁石８で形成されているので、房側連結部材５を着磁性を有さない木製や石製などの材質で形成することができ、房側連結部材５の材質の選択の幅を広げることができ、念珠１０や房１４の材質や色などに応じて、材質や色を選択することができ、装飾性を向上させ、品質を向上させることができる。
（１０）親玉側連結部材２の埋設部３及び房側連結部材５の連結用磁石８の磁力の合計が０．４８テスラ〜０．６３テスラであることにより、通常は親玉側連結部材２と房側連結部材５を強固に固定でき、念珠１０や房１４の交換や補修が必要な時は容易に取外すことができ、取換え自在性、メンテナンス性を向上させることができる。
【産業上の利用可能性】
【００２５】
本発明は、念珠の親玉に取付けて房の着脱を行なうための念珠用房連結具に関し、簡単な構成で部品点数、加工工数が少なく生産性、低コスト性に優れ、既存の念珠に容易に取付けて使用することができ汎用性に優れ、念珠と房を必要に応じて容易に着脱することができるので、宗派や好みによって房の色や形、種類を自在に取換えて組合せることができ、品揃えの煩雑さを解消でき機能性、汎用性に優れると共に、房の色が褪色したり房や念珠が破損したりした際には、容易に念珠又は房を交換することができる取換え自在性、メンテナンス性、省資源性に優れる念珠用房連結具として利用することができる。
【図面の簡単な説明】
【００２６】
【図１】本発明の実施の形態１における念珠用房連結具を示す全体斜視図
【図２】本発明の実施の形態１における念珠用房連結具の着磁状態を示す正面図
【図３】（ａ）図１における親玉側連結部材のＡ方向投影図    （ｂ）図１における房側連結部材のＢ方向投影図
【図４】本発明の実施の形態１における念珠用房連結具を示す断面側面図
【図５】実施の形態１における念珠用房連結具を用いた念珠を示す全体正面図
【図６】（ａ）念珠用房連結具の取外し状態を示す要部断面正面図    （ｂ）念珠用房連結具の着磁状態を示す要部断面正面図
【符号の説明】
【００２７】
１  念珠用房連結具
２  親玉側連結部材
３  埋設部
３ａ  端面
４  環状保護部
４ａ  下端面
５  房側連結部材
６  ボサ部
７  嵌合凹部
７ａ  底部
８  連結用磁石
８ａ  着磁面
９  房取付け部
１０  念珠
１１  親玉
１１ａ  主玉
１２  念珠連結用孔
１２ａ  紐挿通孔
１２ｂ  紐
１２ｃ  緊結部
１３  挿通孔
１４  房
【図１】
2005329135.tif 000003
【図２】
2005329135.tif 000004
【図３】
2005329135.tif 000005
【図４】
2005329135.tif 000006
【図５】
2005329135.tif 000007
【図６】
2005329135.tif 000008